(57)【要約】【課題】梁の安定と玉の転がりを利用して全方向自由に転がることにより、地震時の水平と垂直の応力を吸収する。【解決手段】コンクリート基礎２と、建築物土台１との間にＨ型鋼等よりなる土台受け台３を介してその下部に設置される免震装置であって、互いに対向する上下の凹盤４ａ，４ｂの結合からなる箱体４よりなり、各凹盤４ａ，４ｂは夫々内部に上下対向して仕切体５が設けられて箱体内部を複数の区画に区分けしていると共に、上下凹盤の各区画の凹底部内面側には弾性材６が嵌着されて鉄製球体７が該上下の弾性材６に挟持されて転動自在に収設されている構成である。【選択図】              図１
2007169990.tif 000002
【特許請求の範囲】
【請求項１】
コンクリート基礎と、建築物土台との間にＨ型鋼等よりなる土台受け台を介してその下部に設置される免震装置であって、互いに対向する上下の凹盤の結合からなる箱体よりなり、各凹盤は夫々内部に上下対向的に仕切体が設けられて、箱体内部を複数の区画に区分していると共に、上下凹盤の各区画の凹底部内面側には弾性材が嵌着されて鉄製球体が該上下の弾性材に挟持されて区画内で転動自在に収設されていることを特徴とする免震装置。
【請求項２】
鉄製球体が上下凹盤によって形成される箱体内において正三角形の頂点位置に位置する如く３個配置されている請求項１記載の免震装置。
【請求項３】
免震装置に隣接して浮き上がり防止装置を配設する請求項１または２記載の免震装置。
【発明の詳細な説明】
【技術分野】
【０００１】
本発明は建築構造物、とりわけ木造建築構造物の免震装置に関するものである。
【背景技術】
【０００２】
従来より地震災害に備え、地震等の振動を吸収し、建物の損傷，倒壊等を防止するため種々の免震装置が提案されている。例えば建物と地盤に設置された基礎部材との間に複数の免震用ゴムを介挿した構造や重力復元式免震装置で免震，復元過程における上部構造部の上下方向の変位を打ち消す手段が備えられているもの（例えば特許文献１参照）あるいは上面を長さ方向の中央が低く両端が高い傾斜路に形成した滑走路と、該滑走路の傾斜路上を転動する転動子との組み合わせで構成したもの（例えば特許文献２参照）などである。一方、球体を利用するものとして、球体とスプリングを併用したものや複数の球体を上下金属位置の間に横方向に並置して配した免震素子（例えば特許文献３参照）も知られている。
【特許文献１】特開２００２−６１７０４号公報
【特許文献２】特開２０００−４５５６６号公報
【特許文献３】特開２００１−２０９９９号公報
【発明の開示】
【発明が解決しようとする課題】
【０００３】
しかし、上記各公知の免震構造は、構造が複雑であったり、地震時の水平と垂直の応力を充分吸収することができない難があった。
【０００４】
本発明は上述の如き実状に対処し、鉄製の箱の利用と球体と弾性材の併用により球体の位置の安定と飛び出し防止を図り、かつ直下型の地震の応力に対応すると共に雑音の防止に寄与し、玉の転がる習性を利用して全方向への球体の転がりにより地震時の水平と垂直の応力を吸収させ、簡単，安価，安全な免震装置を提供することを目的とするものである。
【課題を解決するための手段】
【０００５】
即ち、上記目的に適合する本発明免震装置は、コンクリート基礎と、建築物土台との間にＨ型鋼等よりなる土台受け台を介してその下部に設置される免震装置であって、互いに対向する上下凹盤の結合からなる箱体よりなり、各凹盤は夫々内部に上下対向的に仕切体が設けられて箱体内部を複数の区画に区分していると共に、上下凹盤の各区画の凹底部内面側には弾性材が嵌着されて鉄製球体が該上下の弾性材に挟持されて区画内で転動自在に収設されている構成よりなる。
【０００６】
ここで、上記箱体内の鉄製球体の配置は上下凹盤によって形成される箱体内において、正三角形の頂点位置に位置する如く配置するのが有効である。また、浮き上がりを防止するため免震装置に隣接して浮き上がり防止装置を配設することも効果的である。
【発明の効果】
【０００７】
本発明免震装置は、主要個所に受梁を設置し、梁を数多くの装置で受けることにより荷重が分散されて大掛かりな基礎や梁を使用しなくとも済み、簡易で一般的である。そして、Ｈ型鋼等の梁受け下部の鉄製箱体の中に球体を入れることにより球の位置の安定と、飛び出しを防止し、しかも複数の球体を使用することにより梁の安定をはかると共に全方向自由に転がることにより地震時の水平と垂直の圧力を吸収する効果がある。
【０００８】
また、浮き上がり防止装置を隣接配置し、免震装置横に基礎と建物を鉄製金具で交差状に地震の振幅に余裕をもって引っ掛けることにより、地震，台風時の浮き上がりを防止し安全に対処する。
【発明を実施するための最良の形態】
【０００９】
以下、更に添付図面に基づいて本発明の具体的実施態様について説明する。
【００１０】
図１，２は本発明に係る要部構成を示す正面図及び球体配置平面図であり、図において１は建築物の土台（梁）、２は無収縮モルタル等よりなるコンクリート基礎、３はＨ型鋼，角パイプ，チャンネル等、図ではＨ型鋼よりなる土台受け台であり、コンクリート基礎２と建築物土台１との間にＨ型鋼等よりなる土台受け台３を介してその下部に本発明免震装置の要部を構成する箱体４が設置されている。
【００１１】
箱体４は図示の如く上部凹盤４ａと下部凹盤４ｂとを互いに凹部を上下対向させて結合することによって構成されており、夫々の内部には互いに対向して仕切体５が設けられていて、箱体４として結合させたとき、箱体４内に複数の区画が形成されるようになっている。なお、図では仕切体５は中央部に１つと、区分けされた一方の区画を更に２分するように設けられており、仕切体５の高さは上下の凹盤において必らずしも同一高さとは限らず、図示の如く下部凹盤側の仕切体５を高く形成することも効果的である。
【００１２】
そして、上記区分けされた各区画内において上下各凹盤４ａ，４ｂの凹底部内面側には弾性材６，例えばゴム材が嵌着されていて、該上下の弾性材６に挟持された状態で鉄製球体７が区画内で転動自在に収設されている。この場合、箱体４内の鉄製球体７の配置は、区画状況に応じて、各区画内に配置すればよいが、例えば図示の如く複数の区画内において３個の鉄製球体７を正三角形の頂点位置に位置するように配置するのが最も効果的である。そして、箱体４は構成が簡単であるため土台受け台を数多くで受けることが可能で、これにより荷重が分散されるので頗る有効である。
【００１３】
即ち、図３は建物の輪郭を形成する基礎における土台受け台に上記箱体4を周囲及び縦横方向に数多く配置した状態を示している。この場合、復元のため収縮材からなる復元装置２０やピンで固定してスプリング２１を適宜、設けることが好適である。
【００１４】
図４は上述の如き免震装置をＨ型鋼等よりなる土台受け台３において長さ方向にわたり適宜、配置した態様であり、この免震装置のみの設置では地震，台風時に浮き上がりを起こすことも考えられるため、更に浮き上がり防止装置１０として基礎２と建物の土台受け台３とを図５に示す如く台板２ａを介してボルト１４で止着して鉄製の金物１１，１２により交差状に地震の振幅に余裕をもって引っ掛けて地震，台風時の浮き上がり，移動両面の安全に対処させている。
【００１５】
かくして土台受け台３下部の鉄製箱体４内に球体を入れることにより球の位置の安定と飛び出しが防止され、地震時において水平，垂直の応力を受けるとき球体の転動により水平移動に対応することができ、また、上下凹盤内部に弾性材６を嵌着することにより直下型地震の応力に対応すると共に、雑音の防止にも有効になる。
【００１６】
更に、上述の如く鉄製球体４を複数使用することにより土台受け台の安定が得られ、かつ複数の球体の転がる習性を利用し、全方向自由に転がることにより地震時の水平と垂直の応力を吸収することができ、免震装置として大掛かりな基礎，梁の使用の必要なく、極めて簡単，安価である。
【図面の簡単な説明】
【００１７】
【図１】本発明に係る免震装置の概要を示す正面図である。
【図２】上記免震装置の要部平面図である。
【図３】建築基礎領域における免震装置（箱体）の配置状況図である。
【図４】土台受け台の長さ方向における免震装置配置状態図である。
【図５】浮き上がり防止装置の１例であり、（イ）は側面図、（ロ）は正面図である。
【符号の説明】
【００１８】
１：建築物土台
２：基礎
３：土台受け台
４：箱体
４ａ：上記凹盤
４ｂ：下部凹盤
５：仕切体
６：弾性材
７：鉄製球体
１０：浮き上がり防止装置
【図１】
2007169990.tif 000003
【図２】
2007169990.tif 000004
【図３】
2007169990.tif 000005
【図４】
2007169990.tif 000006
【図５】
2007169990.tif 000007